(57)【要約】【課題】筐体の最長方向の長さを小さくできるとともに、取込部や収納部から複数の紙幣が連鎖状態で繰り出されてしまった場合でも装置を停止させることなく引き続き処理を行うことができる紙葉類処理装置および紙葉類処理システムを提供する。【解決手段】紙葉類処理装置（例えば、紙幣処理装置１０）は、筐体１２の内部に設けられ、取込部３０により筐体１２の内部に取り込まれた紙葉類（例えば、紙幣）を搬送する第１搬送部２０と、筐体１２の内部に設けられ、収納部４０および払出部３２にそれぞれ接続され、紙葉類を搬送する第２搬送部２２とを備えており、第２搬送部２２は、搬送される紙葉類の搬送方向を変える搬送方向転換部分２２ａを有している。【選択図】図１
2020204996.tif 000002
【特許請求の範囲】
【請求項１】
筐体と、
外部から前記筐体内に紙葉類を取り込むための取込部と、
前記筐体の内部に設けられ、前記取込部により前記筐体の内部に取り込まれた紙葉類を搬送する第１搬送部と、
前記筐体の内部に設けられ、紙葉類を収納するとともに収納されている紙葉類を繰り出し可能な収納部と、
前記筐体の内部から外部に紙葉類を払い出す払出部と、
前記筐体の内部に設けられ、前記収納部および前記払出部にそれぞれ接続され、紙葉類を搬送する第２搬送部と、
を備え、
前記第２搬送部は、搬送される紙葉類の搬送方向を変える搬送方向転換部分を有している、紙葉類処理装置。
【請求項２】
前記第１搬送部の端部は、前記第２搬送部の途中部分に接続されている、請求項１記載の紙葉類処理装置。
【請求項３】
前記第１搬送部の端部は、前記第２搬送部の前記搬送方向転換部分に接続されている、請求項２記載の紙葉類処理装置。
【請求項４】
前記搬送方向転換部分は、搬送される紙葉類の搬送方向を略１８０°変える、請求項１乃至３のいずれか一項に記載の紙葉類処理装置。
【請求項５】
前記取込部により前記筐体の内部に紙葉類を取り込み、取り込まれた紙葉類を前記第１搬送部および前記第２搬送部により前記収納部に搬送して当該収納部に収納させる入金処理、および前記収納部に収納されている紙葉類を当該収納部から繰り出して前記第２搬送部により前記払出部に搬送する出金処理を行う制御部を更に備えた、請求項１乃至４のいずれか一項に記載の紙葉類処理装置。
【請求項６】
前記第２搬送部には、前記収納部から繰り出されて前記第２搬送部により搬送される紙葉類を識別する第１識別部が設けられており、
前記第１識別部は、前記第２搬送部における前記搬送方向転換部分よりも前記収納部側に配置されている、請求項１乃至５のいずれか一項に記載の紙葉類処理装置。
【請求項７】
前記第２搬送部における前記搬送方向転換部分よりも前記払出部側には、前記第１識別部により正常な紙葉類ではないと識別された紙葉類や前記第１識別部により識別することができなかった紙葉類が前記第２搬送部により搬送されて収納されるリジェクト部が接続されている、請求項６記載の紙葉類処理装置。
【請求項８】
前記第１搬送部には、前記取込部により前記筐体の内部に取り込まれた紙葉類を識別する第２識別部が設けられている、請求項１乃至７のいずれか一項に記載の紙葉類処理装置。
【請求項９】
前記第２搬送部には、前記取込部により前記筐体の内部に取り込まれ、前記第１搬送部から前記第２搬送部に受け渡された紙葉類を識別する第３識別部が設けられており、前記第２識別部および前記第３識別部の各々の識別結果に基づいて紙葉類の搬送先が決定される、請求項８記載の紙葉類処理装置。
【請求項１０】
前記第３識別部による紙葉類の識別精度は、前記第２識別部による紙葉類の識別精度よりも高くなっている、請求項９記載の紙葉類処理装置。
【請求項１１】
前記第２識別部および前記第３識別部は、紙葉類に光を透過させることにより当該紙葉類の識別を行う光学センサを有しており、前記第３識別部の前記光学センサの数は前記第２識別部の前記光学センサの数よりも多くなっている、請求項１０記載の紙葉類処理装置。
【請求項１２】
前記第２搬送部における前記搬送方向転換部分よりも前記払出部側には、紙葉類を収納するとともに収納されている紙葉類を繰り出し可能な紙葉類収納器が着脱自在に装着される装着部が接続されており、
前記装着部に前記紙葉類収納器が装着されているときに、前記第２搬送部から前記紙葉類収納器に紙葉類を送って当該紙葉類収納器に収納させるとともに前記紙葉類収納器から紙葉類を繰り出して前記第２搬送部に送ることができるようになっている、請求項１乃至１１のいずれか一項に記載の紙葉類処理装置。
【請求項１３】
前記第２搬送部における前記搬送方向転換部分よりも前記収納部側の搬送路の長さは、処理されるべき紙葉類のうち長辺の長さが最も大きい紙葉類の２枚分の長辺の長さの和よりも大きくなっている、請求項１乃至１２のいずれか一項に記載の紙葉類処理装置。
【請求項１４】
商品の情報を登録する商品情報登録装置と、
前記商品情報登録装置に通信可能に接続された紙葉類処理装置と、
を備えた紙葉類処理システムであって、
前記紙葉類処理装置は、
筐体と、
外部から前記筐体内に紙葉類を取り込むための取込部と、
前記筐体の内部に設けられ、前記取込部により前記筐体の内部に取り込まれた紙葉類を搬送する第１搬送部と、
前記筐体の内部に設けられ、紙葉類を収納するとともに収納されている紙葉類を繰り出し可能な収納部と、
前記筐体の内部から外部に紙葉類を払い出す払出部と、
前記筐体の内部に設けられ、前記収納部および前記払出部にそれぞれ接続され、紙葉類を搬送する第２搬送部と、
を有しており、
前記第２搬送部は、搬送される紙葉類の搬送方向を変える搬送方向転換部分を有している、紙葉類処理システム。
【発明の詳細な説明】
【技術分野】
【０００１】
本発明は、紙葉類の処理を行う紙葉類処理装置およびこのような紙葉類処理装置を備えた紙葉類処理システムに関する。
【背景技術】
【０００２】
スーパーマーケットやコンビニエンスストア等の商業施設の店舗において、商品棚が設置されるフロント領域の精算所には貨幣釣銭機がＰＯＳレジスタとともに設置され、また、顧客が立ち入ることができないバックヤード領域には出納機等の入出金機が設置されるようになっている。ここで、フロント領域の精算所に設置される貨幣釣銭機は、商品と引き換えに顧客から店員に手渡された貨幣の入金処理を行うとともに、釣銭としての貨幣の出金処理を行うことができるようになっている。このような貨幣釣銭機として、例えば特許文献１等に開示されるものが従来から知られている。
【０００３】
特許文献１に開示される紙幣入出金機では、入金部、出金部、還流庫、回収庫、補充庫および出金リジェクト庫が、受け入れた紙幣の厚さ方向が同方向となるように該方向（具体的には、奥行き方向）に併設されており、この方向が当該紙幣入出金機の最長方向となる。そして、これらの併設方向に対して直交する方向の一側にのみ、これらを接続させる搬送部が配置されている。
【先行技術文献】
【特許文献】
【０００４】
【特許文献１】特許第４９３２２９８号
【発明の概要】
【発明が解決しようとする課題】
【０００５】
特許文献１に開示される紙幣入出金機では、入金識別部から還流庫への分岐位置までの距離が、紙幣の長辺の長さと、搬送路で搬送される紙幣にブレーキをかけたときの停止に要する時間分の紙幣の搬送長さとの合計の距離に設定されている。しかしながら、この場合には、紙幣入出金機における還流庫の配列方向（最長方向）の長さを短くしようとすると、入金識別部から還流庫への分岐位置までの距離を十分に確保することができなくなる。そして、入金識別部から還流庫への分岐位置までの距離が短くなると、正確なブレーキ制御が必要になるという問題がある。また、特許文献１に開示される紙幣入出金機では、入金部や還流庫から複数の紙幣が連鎖状態で繰り出されてしまったときに、連鎖状態の紙幣を退避させる場所がないため装置を停止させなければならないという問題がある。
【０００６】
本発明は、このような点を考慮してなされたものであり、筐体の最長方向の長さを小さくできるとともに、取込部や収納部から複数の紙幣が連鎖状態で繰り出されてしまった場合でも装置を停止させることなく引き続き処理を行うことができる紙葉類処理装置およびこのような紙葉類処理装置を備えた紙葉類処理システムを提供することを目的とする。
【課題を解決するための手段】
【０００７】
本発明の紙葉類処理装置は、筐体と、外部から前記筐体内に紙葉類を取り込むための取込部と、前記筐体の内部に設けられ、前記取込部により前記筐体の内部に取り込まれた紙葉類を搬送する第１搬送部と、前記筐体の内部に設けられ、紙葉類を収納するとともに収納されている紙葉類を繰り出し可能な収納部と、前記筐体の内部から外部に紙葉類を払い出す払出部と、前記筐体の内部に設けられ、前記収納部および前記払出部にそれぞれ接続され、紙葉類を搬送する第２搬送部と、を備え、前記第２搬送部は、搬送される紙葉類の搬送方向を変える搬送方向転換部分を有していることを特徴とする。
【０００８】
このような紙葉類処理装置によれば、第２搬送部が、搬送される紙葉類の搬送方向を変える搬送方向転換部分を有しているため、筐体の最長方向の長さを小さくできるとともに、取込部や収納部から複数の紙幣が連鎖状態で繰り出されてしまった場合でも装置を停止させることなく引き続き処理を行うことができる。
【０００９】
本発明の紙葉類処理装置においては、前記第１搬送部の端部は、前記第２搬送部の途中部分に接続されていてもよい。
【００１０】
この場合、前記第１搬送部の端部は、前記第２搬送部の前記搬送方向転換部分に接続されていてもよい。
【００１１】
また、前記搬送方向転換部分は、搬送される紙葉類の搬送方向を略１８０°変えるようになっていてもよい。
【００１２】
本発明の紙葉類処理装置は、前記取込部により前記筐体の内部に紙葉類を取り込み、取り込まれた紙葉類を前記第１搬送部および前記第２搬送部により前記収納部に搬送して当該収納部に収納させる入金処理、および前記収納部に収納されている紙葉類を当該収納部から繰り出して前記第２搬送部により前記払出部に搬送する出金処理を行う制御部を更に備えていてもよい。
【００１３】
また、前記第２搬送部には、前記収納部から繰り出されて前記第２搬送部により搬送される紙葉類を識別する第１識別部が設けられており、前記第１識別部は、前記第２搬送部における前記搬送方向転換部分よりも前記収納部側に配置されていてもよい。
【００１４】
この場合、前記第２搬送部における前記搬送方向転換部分よりも前記払出部側には、前記第１識別部により正常な紙葉類ではないと識別された紙葉類や前記第１識別部により識別することができなかった紙葉類が前記第２搬送部により搬送されて収納されるリジェクト部が接続されていてもよい。
【００１５】
また、前記第１搬送部には、前記取込部により前記筐体の内部に取り込まれた紙葉類を識別する第２識別部が設けられていてもよい。
【００１６】
この場合、前記第２搬送部には、前記取込部により前記筐体の内部に取り込まれ、前記第１搬送部から前記第２搬送部に受け渡された紙葉類を識別する第３識別部が設けられており、前記第２識別部および前記第３識別部の各々の識別結果に基づいて紙葉類の搬送先が決定されてもよい。
【００１７】
また、前記第３識別部による紙葉類の識別精度は、前記第２識別部による紙葉類の識別精度よりも高くなっていてもよい。
【００１８】
この場合、前記第２識別部および前記第３識別部は、紙葉類に光を透過させることにより当該紙葉類の識別を行う光学センサを有しており、前記第３識別部の前記光学センサの数は前記第２識別部の前記光学センサの数よりも多くなっていてもよい。
【００１９】
また、前記第２搬送部における前記搬送方向転換部分よりも前記払出部側には、紙葉類を収納するとともに収納されている紙葉類を繰り出し可能な紙葉類収納器が着脱自在に装着される装着部が接続されており、前記装着部に前記紙葉類収納器が装着されているときに、前記第２搬送部から前記紙葉類収納器に紙葉類を送って当該紙葉類収納器に収納させるとともに前記紙葉類収納器から紙葉類を繰り出して前記第２搬送部に送ることができるようになっていてもよい。
【００２０】
また、前記第２搬送部における前記搬送方向転換部分よりも前記収納部側の搬送路の長さは、処理されるべき紙葉類のうち長辺の長さが最も大きい紙葉類の２枚分の長辺の長さの和よりも大きくなっていてもよい。
【００２１】
本発明の紙葉類処理システムは、商品の情報を登録する商品情報登録装置と、前記商品情報登録装置に通信可能に接続された紙葉類処理装置と、を備えた紙葉類処理システムであって、前記紙葉類処理装置は、筐体と、外部から前記筐体内に紙葉類を取り込むための取込部と、前記筐体の内部に設けられ、前記取込部により前記筐体の内部に取り込まれた紙葉類を搬送する第１搬送部と、前記筐体の内部に設けられ、紙葉類を収納するとともに収納されている紙葉類を繰り出し可能な収納部と、前記筐体の内部から外部に紙葉類を払い出す払出部と、前記筐体の内部に設けられ、前記収納部および前記払出部にそれぞれ接続され、紙葉類を搬送する第２搬送部と、を有しており、前記第２搬送部は、搬送される紙葉類の搬送方向を変える搬送方向転換部分を有していることを特徴とする。
【００２２】
このような紙葉類処理システムによれば、紙葉類処理装置の第２搬送部が、搬送される紙葉類の搬送方向を変える搬送方向転換部分を有しているため、紙葉類処理装置の筐体の最長方向の長さを小さくできるとともに、取込部や収納部から複数の紙幣が連鎖状態で繰り出されてしまった場合でも装置を停止させることなく引き続き処理を行うことができる。
【発明の効果】
【００２３】
本発明の紙葉類処理装置および紙葉類処理システムによれば、紙葉類処理装置の筐体の最長方向の長さを小さくできるとともに、取込部や収納部から複数の紙幣が連鎖状態で繰り出されてしまった場合でも装置を停止させることなく引き続き処理を行うことができる。
【図面の簡単な説明】
【００２４】
【図１】本発明の実施の形態による紙幣処理装置の外観を示す斜視図である。
【図２】図１に示す紙幣処理装置の内部を側方から見たときの構成を概略的に示す概略構成図である。
【図３】図２に示す紙幣処理装置における第２識別部の構成を示す構成図である。
【図４】図２に示す紙幣処理装置における第３識別部の構成を示す構成図である。
【図５】図１等に示す紙幣処理装置の制御系の構成を示す機能ブロック図である。
【図６】図１等に示す紙幣処理装置において入金処理が行われる際の紙幣の流れを示す構成図である。
【図７】図１等に示す紙幣処理装置において入金処理が行われる際にリジェクト紙幣を外部に返却するときの紙幣の流れを示す構成図である。
【図８】図１等に示す紙幣処理装置において入金処理が行われる際に連鎖状態で搬送される紙幣を外部に返却するときの紙幣の流れを示す構成図である。
【図９】図１等に示す紙幣処理装置において出金処理が行われる際の紙幣の流れを示す構成図である。
【図１０】図１等に示す紙幣処理装置において出金処理が行われる際にリジェクト紙幣を出金リジェクト部に収納するときの紙幣の流れを示す構成図である。
【図１１】図１等に示す紙幣処理装置において装着部に装着された紙幣収納カセットから繰り出された紙幣の入金処理が行われる際の紙幣の流れを示す構成図である。
【図１２】図１等に示す紙幣処理装置において装着部に装着された紙幣収納カセットから繰り出された紙幣の入金処理が行われる際にリジェクト紙幣を外部に返却するときの紙幣の流れを示す構成図である。
【図１３】図１等に示す紙幣処理装置において装着部に装着された紙幣収納カセットに紙幣を収納するような出金処理が行われる際の紙幣の流れを示す構成図である。
【図１４】図１等に示す紙幣処理装置において精査処理が行われる際の紙幣の流れを示す構成図である。
【発明を実施するための形態】
【００２５】
以下、図面を参照して本発明の実施の形態について説明する。図１乃至図１４は、本実施の形態に係る紙幣処理装置を示す図である。本実施の形態に係る紙幣処理装置は、紙幣の入金処理、出金処理および精査処理等を行うものである。
【００２６】
図１に示すように、本実施の形態に係る紙幣処理装置１０および図示しない硬貨処理装置を組み合わせることにより貨幣釣銭機が構成されており、この貨幣釣銭機の近傍には商品の情報を登録する商品情報登録装置１００（ＰＯＳレジスタ）が設置されている。これらの貨幣釣銭機や商品情報登録装置１００は、例えばスーパーマーケットやコンビニエンスストア等の商業施設の店舗において商品棚が設置されるフロント領域の精算所に設置されている。貨幣釣銭機は、売上金としての紙幣や硬貨の入金処理を行うとともに釣銭としての紙幣や硬貨の出金処理を行うようになっている。本実施の形態では、紙幣処理装置１０および商品情報登録装置１００を組み合わせることにより紙幣処理システムが構成されている。
【００２７】
図１は、本実施の形態による紙幣処理装置１０の外観を示す斜視図であり、図２は、図１に示す紙幣処理装置１０の内部を側方から見たときの構成を概略的に示す概略構成図である。また、図３および図４は、それぞれ、図２に示す紙幣処理装置１０における第２識別部５２および第３識別部５４の構成を示す構成図である。図１および図２に示すように、本実施の形態による紙幣処理装置１０は、略直方体形状の筐体１２と、筐体１２の前面側にそれぞれ設けられた取込部３０、払出部３２、出金リジェクト部３４および装着部３６と、筐体１２の内部に設けられた複数の収納部４０を備えている。なお、図２において筐体１２の右側の側面が紙幣処理装置１０を正面側から見た時の筐体１２の前面であり、図２における左方向が紙幣処理装置１０の奥行き方向である。ここで、本実施の形態では、紙幣処理装置１０の奥行き方向は、筐体１２における互いに直交する３つの辺のうち最長の辺の延びる方向（言い換えると、筐体１２の最長方向）である。また、図２に示すように、筐体１２の内部には、紙幣を１枚ずつ搬送する第１搬送部２０および第２搬送部２２がそれぞれ設けられている。このような紙幣処理装置１０の各構成要素の詳細について以下に説明する。
【００２８】
図１および図２に示すように、筐体１２の前面側の上部位置には取込部３０が設けられている。取込部３０は筐体１２の前面側に露出しており、操作者が１枚または複数枚の紙幣を重ねた状態で筐体１２の前面側から取込部３０に投入できるようになっている。この際に、１枚または複数枚の紙幣はその長辺方向に沿って取込部３０に投入される。また、取込部３０には、操作者によって投入された１枚または重ねた状態の複数枚の紙幣を１枚ずつ筐体１２の内部に紙幣の長辺方向に沿って繰り出す繰出機構（図示せず）が設けられている。また、取込部３０には第１搬送部２０が接続されており、繰出機構により繰り出された紙幣は１枚ずつ第１搬送部２０により紙幣の長辺方向に沿って搬送されるようになっている。
【００２９】
筐体１２の前面側における取込部３０の下方には払出部３２が設けられている。払出部３２には第２搬送部２２が接続されており、また、払出部３２は筐体１２の前面側に露出している。そして、第２搬送部２２から払出部３２に送られた紙幣はこの払出部３２の内部に集積されるようになっている。また、出金されるべき紙幣が全て払出部３２に集積されると、払出部３２に集積された紙幣が重なった状態で紙幣の長辺方向に沿って筐体１２の前面側に押し出されるようになっており、このことにより操作者は払出部３２から紙幣を取り出すことができるようになる。
【００３０】
筐体１２の前面側における払出部３２の下方には出金リジェクト部３４が設けられている。出金リジェクト部３４には第２搬送部２２が接続されている。なお、出金リジェクト部３４は筐体１２の前面側に露出しておらず、筐体１２に設けられた扉（図示せず）が閉じた状態では筐体１２の外部から出金リジェクト部３４にアクセスすることができないようになっている。また、後述する紙幣の出金処理においてリジェクト紙幣であると識別された紙幣が第２搬送部２２から出金リジェクト部３４に送られ、この出金リジェクト部３４に集積されるようになっている。
【００３１】
筐体１２の前面側における出金リジェクト部３４の下方には装着部３６が設けられている。装着部３６には持ち運び可能な紙幣収納カセット（図示せず）が着脱自在に装着されるようになっている。紙幣収納カセットは、紙幣を収納するとともに収納されている紙幣を１枚ずつ紙幣収納カセットの外部に繰り出すことができるような構成となっている。また、装着部３６には第２搬送部２２が接続されている。そして、装着部３６に紙幣収納カセットが装着されたときに、紙幣収納カセットから繰り出された紙幣を第２搬送部２２に送ることができるとともに、第２搬送部２２から装着部３６に送られた紙幣を紙幣収納カセットに収納できるようになっている。
【００３２】
筐体１２の内部における後方側には３つの収納部４０が鉛直方向に並ぶよう設置されている。また、各収納部４０にはそれぞれ第２搬送部２２が接続されている。そして、第２搬送部２２から各収納部４０に送られた紙幣は各収納部４０の内部に積層状態で収納されるようになっている。また、各収納部４０は、それぞれ、各収納部４０に収納されている紙幣を１枚ずつ繰り出す繰出機構４２（図５参照）を有しており、各収納部４０において繰出機構４２により繰り出された紙幣は第２搬送部２２に送られるようになっている。また、各収納部４０には紙幣が金種別に収納されるようになっている。例えば、３つの収納部４０のうち一番上の収納部４０には千円札が収納され、上から２番目の収納部４０には五千円札および二千円札が混合状態で収納され、一番下の収納部４０には一万円札が収納されるようになっている。
【００３３】
図２に示すように、筐体１２の内部には第１搬送部２０および第２搬送部２２がそれぞれ設けられている。第１搬送部２０は取込部３０に接続されており、取込部３０により筐体１２の内部に取り込まれた紙幣は第１搬送部２０により１枚ずつ紙幣の長辺方向に沿って搬送されるようになっている。また、第２搬送部２２は、払出部３２、出金リジェクト部３４、装着部３６および各収納部４０に接続されており、これらの構成要素の間で紙幣を１枚ずつ紙幣の長辺方向に沿って搬送するようになっている。また、第１搬送部２０は接続箇所２４において第２搬送部２２に接続されており、この接続箇所２４において第１搬送部２０および第２搬送部２２の間で紙幣の受け渡しが行われるようになっている。より詳細には、第１搬送部２０から第２搬送部２２に受け渡される紙幣はこの第２搬送部２２における収納部４０側に送られるようになる。また、接続箇所２４には図示しない分岐部材が設けられている。そして、第２搬送部２２により収納部４０側から払出部３２側に搬送される紙幣が接続箇所２４を通過するときに、分岐部材によってこの紙幣は第２搬送部２２により払出部３２側に送られるようになる。このように、第１搬送部２０の端部は、第２搬送部２２の途中部分（具体的には、接続箇所２４）に接続されている。
【００３４】
また、第２搬送部２２は、当該第２搬送部２２により搬送される紙幣の搬送方向を変える搬送方向転換部分２２ａを有している。搬送方向転換部分２２ａは半円の円弧状の搬送路であり、第２搬送部２２により搬送される紙幣の搬送方向を略１８０°変えるようになっている。すなわち、各収納部４０から繰り出されて第２搬送部２２により図２における上向きに搬送される紙幣は、搬送方向転換部分２２ａにより搬送方向が変えられて図２における下向きに搬送されるようになり、この下向きに搬送される紙幣が払出部３２、出金リジェクト部３４または装着部３６に搬送されるようになる。また、装着部３６に装着された紙幣収納カセットから繰り出されて第２搬送部２２により図２における上向きに搬送される紙幣は、搬送方向転換部分２２ａにより搬送方向が変えられて図２における下向きに搬送されるようになり、この下向きに搬送される紙幣が各収納部４０に金種毎に搬送されるようになる。ここで、図２に示すように、第１搬送部２０の端部は、第２搬送部２２の搬送方向転換部分２２ａに接続されている。より詳細には、第１搬送部２０の端部は、第２搬送部２２の搬送方向転換部分２２ａの中間地点に接続されている。このため、第１搬送部２０から第２搬送部２２に受け渡された紙幣は、搬送方向転換部分２２ａにより搬送方向が略９０°変えられるようになる。
【００３５】
また、第２搬送部２２における各収納部４０側の端部には延長部分２２ｂが設けられている。このような延長部分２２ｂが設けられることにより、第２搬送部２２における搬送方向転換部分２２ａよりも各収納部４０側の搬送路の長さ（より詳細には、第２搬送部２２における第３識別部５４（後述）よりも各収納部４０側の搬送路の長さ）は、処理されるべき紙幣の長辺の長さが最も大きい紙幣の２枚分の長辺の長さの和よりも大きくなっている。このような技術的事項の詳細については後述する。
【００３６】
また、図２に示すように、第２搬送部２２には第１識別部５０および第３識別部５４がそれぞれ設けられている。これらの第１識別部５０および第３識別部５４は、第２搬送部２２における搬送方向転換部分２２ａよりも各収納部４０側に配置されている。また、第１搬送部２０には第２識別部５２が設けられている。ここで、第１識別部５０は、紙幣処理装置１０において出金処理が行われる際に各収納部４０から第２搬送部２２に繰り出された紙幣の金種や数量、搬送状態等を識別するようになっている。また、第２識別部５２および第３識別部５４は、それぞれ、紙幣処理装置１０において入金処理が行われる際に取込部３０により筐体１２の内部に取り込まれて第１搬送部２０により搬送される紙幣の金種や数量、搬送状態等を識別するようになっている。そして、第２識別部５２および第３識別部５４の各々の識別結果に基づいて紙幣の搬送先が決定されるようになっている。
【００３７】
また、本実施の形態では、第３識別部５４による紙幣の識別精度は、第２識別部５２による紙幣の識別精度よりも高くなっている。これらの第２識別部５２および第３識別部５４の構成の詳細について図３および図４を用いて以下に説明する。なお、図３および図４において、第２識別部５２や第３識別部５４により識別されるべき紙幣を参照符号Ｐで示す。また、図３および図４において、第１搬送部２０や第２搬送部２２による紙幣の搬送方向を矢印で示す。第２識別部５２は、第１搬送部２０により搬送される紙幣に光を透過させることにより当該紙幣の識別を行う１つの光学センサ５２ａを有している。また、第３識別部５４は、第２搬送部２２により搬送される紙幣に光を透過させることにより当該紙幣の識別を行う複数の光学センサ５４ａを有しており、各光学センサ５４ａは、第２搬送部２２により搬送される紙幣の幅方向に沿って並ぶよう並列に配置されている。このように、第３識別部５４の光学センサ５４ａの数が第２識別部５２の光学センサ５２ａの数よりも多くなっているため、第３識別部５４による紙幣の識別精度が第２識別部５２による紙幣の識別精度よりも高くなる。
【００３８】
また、図５に示すように、本実施の形態の紙幣処理装置１０には、当該紙幣処理装置１０の各構成要素を制御する制御部６０が設けられている。このような制御部６０は、筐体１２の内部に設置されたＣＰＵ（プロセッサ）等から構成されている。図５に示すように、制御部６０には取込部３０、払出部３２、装着部３６、第１搬送部２０、第２搬送部２２、各収納部４０に設けられた繰出機構４２、第１識別部５０、第２識別部５２および第３識別部５４がそれぞれ接続されている。そして、各識別部５０、５２、５４による紙幣の識別結果に係る情報が制御部６０に送られるようになっている。また、制御部６０は、取込部３０、払出部３２、装着部３６、第１搬送部２０、第２搬送部２２、各収納部４０に設けられた繰出機構４２等の各構成要素に指令信号を送ることによりこれらの構成要素を制御するようになっている。
【００３９】
また、図５に示すように、制御部６０には操作表示部６２、記憶部６４および通信インターフェース部６６がそれぞれ接続されている。操作表示部６２は例えば紙幣処理装置１０の筐体１２の上面に設けられたタッチパネル等からなり、紙幣処理装置１０における紙幣の入金処理や出金処理等の処理状況や、各収納部４０に収納されている紙幣の在高等に関する情報が操作表示部６２に表示されるようになっている。また、操作者は操作表示部６２を操作することにより制御部６０に対して様々な指令を与えることができるようになっている。また、記憶部６４は例えばＲＯＭやＲＡＭ等から構成されている。記憶部６４には、紙幣処理装置１０における紙幣の入金処理や出金処理等の処理履歴や、各収納部４０に収納されている紙幣の在高等に関する情報が記憶されるようになっている。また、制御部６０は通信インターフェース部６６を介して本実施の形態による紙幣処理装置１０とは別に設けられた外部装置（具体的には、例えば商品情報登録装置１００）に対して信号の送受信を行うことができるようになっている。
【００４０】
次に、このような構成からなる紙幣処理装置１０による紙幣の処理方法（具体的には、入金処理、出金処理および精査処理）について図６乃至図１４を用いて説明する。図６乃至図１４において、紙幣の入金処理、出金処理または精査処理が行われる際の紙幣の流れを太線で示す。また、以下で示す紙幣の各処理は、制御部６０が紙幣処理装置１０の各構成要素を制御することにより行われる。
【００４１】
まず、紙幣処理装置１０により紙幣の入金処理が行われる際の動作について図６乃至図８を用いて説明する。筐体１２の前面側に設けられた取込部３０に操作者が１枚または複数枚の紙幣を重ねた状態で投入すると、投入された１枚または重なった状態の複数枚の紙幣は１枚ずつ繰出機構（図示せず）により筐体１２の内部に繰り出される。そして、筐体１２の内部に繰り出された紙幣は、図６に示すように、この紙幣の長辺方向に沿って第１搬送部２０および第２搬送部２２により搬送される。この際に、筐体１２の内部に繰り出された紙幣は第２識別部５２および第３識別部５４によりその金種や搬送状態等が識別される。そして、第２識別部５２および第３識別部５４により正常な紙幣であると識別された場合には、図６に示すように、第２識別部５２および第３識別部５４の各々の識別結果に基づいてこの紙幣の搬送先が制御部６０により決定され、各収納部４０に金種毎に送られる。このことにより、各収納部４０に紙幣が金種毎に収納される。
【００４２】
また、取込部３０から筐体１２の内部に繰り出された紙幣が第１識別部５０により識別されたときに、当該紙幣が偽券や損券であると判別されたり、紙幣が大きく斜行していたり、あるいは第１識別部５０により識別された媒体が紙幣ではないと判別された場合には、図７に示すように当該紙幣が第１搬送部２０から第２搬送部２２に受け渡された後、第２搬送部２２で紙幣の搬送方向が逆方向に転換されて払出部３２にリジェクト紙幣として送られる。このことにより、操作者は払出部３２からリジェクト紙幣を筐体１２の外部に取り出して、取込部３０に再投入等できるようになる。
【００４３】
また、取込部３０から筐体１２の内部に繰り出された紙幣が第１識別部５０により識別されたときに、２枚の紙幣が連鎖状態になっていると判別された場合にも、図８に示すように連鎖状態の２枚の紙幣が第１搬送部２０から第２搬送部２２に受け渡された後、第２搬送部２２でこれらの紙幣の搬送方向が逆方向に転換されて払出部３２にリジェクト紙幣として送られる。このことにより、操作者は払出部３２からリジェクト紙幣を筐体１２の外部に取り出して、取込部３０に再投入等できるようになる。ここで、上述したように、第２搬送部２２における各収納部４０側の端部には延長部分２２ｂが設けられており、第２搬送部２２における搬送方向転換部分２２ａよりも各収納部４０側の搬送路の長さ（より詳細には、第２搬送部２２における第３識別部５４よりも各収納部４０側の搬送路の長さ）は、処理されるべき紙幣の長辺の長さが最も大きい紙幣の２枚分の長辺の長さの和よりも大きくなっている。このため、連鎖状態の２枚の紙幣が第１搬送部２０から第２搬送部２２に受け渡されても、第２搬送部２２においてこの連鎖状態の２枚の紙幣が占める領域を確保できるようになる。
【００４４】
次に、紙幣処理装置１０により紙幣の出金処理が行われる際の動作について図９および図１０を用いて説明する。操作者が操作表示部６２により制御部６０に対して紙幣の出金処理の指令を入力したり、商品情報登録装置１００から通信インターフェース部６６を介して制御部６０に紙幣の出金処理の指令が送られたりすると、各収納部４０から出金されるべき紙幣が第２搬送部２２に１枚ずつ繰り出される。そして、第２搬送部２２に繰り出された紙幣は、図９に示すように、この紙幣の長辺方向に沿って第２搬送部２２により搬送される。この際に、第２搬送部２２により搬送される紙幣は第１識別部５０によりその金種や搬送状態等が識別される。そして、第１識別部５０により正常な紙幣であると識別された場合には、図９に示すように、第２搬送部２２により払出部３２に送られる。出金されるべき紙幣が全て第２搬送部２２から払出部３２に送られてこの払出部３２に集積されると、払出部３２に集積された紙幣が重なった状態で紙幣の長辺方向に沿って筐体１２の前面側に押し出される。このことにより操作者は払出部３２から紙幣を取り出すことができるようになる。
【００４５】
また、第２搬送部２２により搬送される紙幣が第１識別部５０により識別されたときに、出金されるべき紙幣の金種とは異なる金種であると判別されたり、重送、連鎖、斜行等の搬送異常であると判別されたりした紙幣は、図１０に示すように、第２搬送部２２により払出部３２ではなく出金リジェクト部３４に送られ、この出金リジェクト部３４に集積される。出金リジェクト部３４に集積された紙幣は、紙幣処理装置１０のメンテナンス作業を行う際にメンテナンス員が筐体１２の扉を開いて当該筐体１２の内部にアクセスすることにより出金リジェクト部３４から筐体１２の外部に手で取り出されるようになる。
【００４６】
次に、図１等に示す紙幣処理装置１０において装着部３６に紙幣収納カセットを装着したときにこの紙幣収納カセットに収納されている紙幣の入金処理が行われる際の動作について図１１および図１２を用いて説明する。紙幣が収納されている紙幣収納カセットが操作者によって装着部３６に装着された後、操作者が操作表示部６２により制御部６０に対して紙幣の入金処理の指令を入力したり、商品情報登録装置１００から通信インターフェース部６６を介して制御部６０に紙幣の入金処理の指令が送られたりすると、装着部３６に装着されている紙幣収納カセットから紙幣が第２搬送部２２に１枚ずつ繰り出される。そして、第２搬送部２２に繰り出された紙幣は、図１１に示すように、この紙幣の長辺方向に沿って第２搬送部２２により搬送される。この際に、第２搬送部２２により搬送される紙幣は第３識別部５４によりその金種や数量、搬送状態等が識別される。そして、第３識別部５４により正常な紙幣であると識別された場合には、図１１に示すように、第３識別部５４による紙幣の識別結果に基づいてこの紙幣の搬送先が制御部６０により決定され、各収納部４０に金種毎に送られる。このことにより、各収納部４０に紙幣が金種毎に収納される。
【００４７】
また、装着部３６に装着されている紙幣収納カセットから第２搬送部２２に繰り出され、この第２搬送部２２により搬送される紙幣が第３識別部５４により識別されたときに、当該紙幣が偽券や損券であると判別されたり、紙幣が大きく斜行していたり、あるいは第２識別部５２により識別された媒体が紙幣ではないと判別された場合には、図１２に示すように当該紙幣が第３識別部５４により識別された後、第２搬送部２２で紙幣の搬送方向が逆方向に転換されて払出部３２にリジェクト紙幣として送られる。このことにより、操作者は払出部３２からリジェクト紙幣を筐体１２の外部に取り出して、取込部３０に再投入等できるようになる。
【００４８】
次に、図１等に示す紙幣処理装置１０において装着部３６に紙幣収納カセットを装着したときに、各収納部４０から繰り出された紙幣をこの紙幣収納カセットに収納させるような紙幣の出金処理が行われる際の動作について図１３を用いて説明する。操作者によって紙幣収納カセットが装着部３６に装着された後、操作者が操作表示部６２により制御部６０に対して紙幣の出金処理（回収処理）の指令を入力したり、商品情報登録装置１００から通信インターフェース部６６を介して制御部６０に紙幣の出金処理の指令が送られたりすると、各収納部４０から出金されるべき紙幣が第２搬送部２２に１枚ずつ繰り出される。そして、第２搬送部２２に繰り出された紙幣は、図１３に示すように、この紙幣の長辺方向に沿って第２搬送部２２により搬送される。この際に、第２搬送部２２により搬送される紙幣は第１識別部５０によりその金種や搬送状態等が識別される。そして、第１識別部５０により正常な紙幣であると識別された場合には、図１３に示すように、第２搬送部２２により装着部３６に装着された紙幣収納カセットに送られ、この紙幣収納カセットに収納される。また、第２搬送部２２により搬送される紙幣が第１識別部５０により識別されたときに、出金されるべき紙幣の金種とは異なる金種であると判別されたり、重送、連鎖、斜行等の搬送異常であると判別されたりした紙幣は、第２搬送部２２により装着部３６に装着された紙幣収納カセットではなく出金リジェクト部３４に送られ、この出金リジェクト部３４に集積される。
【００４９】
次に、紙幣処理装置１０により紙幣の精査処理が行われる際の動作について図１４を用いて説明する。なお、紙幣の精査処理とは、各収納部４０に収納されている紙幣を１枚ずつ第１識別部５０や第３識別部５４によって識別することにより各収納部４０における紙幣の在高を確認することである。
【００５０】
操作者によって空の紙幣収納カセットが装着部３６に装着された後、操作者が操作表示部６２により制御部６０に対して紙幣の精査処理の指令を入力したり、商品情報登録装置１００から通信インターフェース部６６を介して制御部６０に紙幣の精査処理の指令が送られたりすると、３つの収納部４０のうちある一つの収納部４０（例えば、一番上の収納部４０）から紙幣が第２搬送部２２に１枚ずつ繰り出される。そして、第２搬送部２２に繰り出された紙幣は、図１４に示すように、この紙幣の長辺方向に沿って第２搬送部２２により搬送される。この際に、第２搬送部２２により搬送される紙幣は第１識別部５０や第３識別部５４によりその金種や数量、搬送状態等が識別される。そして、第１識別部５０や第３識別部５４により正常な紙幣であると識別された場合には、図１４に示すように、第２搬送部２２により装着部３６に装着された紙幣収納カセットに送られ、この紙幣収納カセットに収納される。そして、一番上の収納部４０から紙幣収納カセットに紙幣が全部移されると、紙幣収納カセットから紙幣が第２搬送部２２に１枚ずつ繰り出され、図１４に示すように、第２搬送部２２により紙幣が元の収納部４０（すなわち、一番上の収納部４０）に戻される。このような動作が残りの収納部４０においても収納部４０毎に行われる。このようにして、紙幣の精査処理では、各収納部４０に収納されている紙幣が１枚ずつ第１識別部５０や第３識別部５４によって識別され、このことにより各収納部４０における紙幣の在高が確認される。
【００５１】
以上のような構成からなる本実施の形態の紙幣処理装置１０によれば、筐体１２の内部には、取込部３０により筐体１２の内部に取り込まれた紙幣を搬送する第１搬送部２０と、収納部４０および払出部３２にそれぞれ接続され、紙幣を搬送する第２搬送部２２とがそれぞれ設けられており、第２搬送部２２は、搬送される紙幣の搬送方向を変える搬送方向転換部分２２ａを有している。この場合には、収納部４０および払出部３２の間で紙幣を搬送する第２搬送部２２において、搬送方向転換部分２２ａによって紙幣の搬送方向を変えることができるため、収納部４０および払出部３２の間で紙幣の搬送方向を変えない場合と比較して筐体１２の最長方向の長さを小さくできる。また、取込部３０により筐体１２の内部に取り込まれた紙幣を搬送する第１搬送部２０を、第２搬送部２２とは別に設けているため、取込部３０や収納部４０から複数の紙幣が連鎖状態で繰り出されてしまった場合でも装置を停止させることなく引き続き処理を行うことができる。
【００５２】
また、本実施の形態の紙幣処理装置１０においては、上述したように、第１搬送部２０の端部は、第２搬送部２２の途中部分に接続されている。より詳細には、第１搬送部２０の端部は、第２搬送部２２の搬送方向転換部分２２ａに接続されている。このような技術的事項によれば、取込部３０により筐体１２の内部に取り込まれ、第１搬送部２０により搬送される紙幣を第１搬送部２０から第２搬送部２２に受け渡し、この第２搬送部２２により引き続き収納部４０まで搬送できる。また、第１搬送部２０の端部が第２搬送部２２の搬送方向転換部分２２ａに接続されている場合には、第１搬送部２０から第２搬送部２２に受け渡された紙幣の搬送方向を搬送方向転換部分２２ａにより変えることができる。
【００５３】
また、本実施の形態の紙幣処理装置１０においては、上述したように、搬送方向転換部分２２ａは、搬送される紙幣の搬送方向を略１８０°変えるようになっている。この場合は、第２搬送部２２は、紙幣の搬送方向を逆方向に変えるＵ字形状のものとなるため、筐体１２の最長方向の長さをできる限り小さくできる。
【００５４】
また、本実施の形態の紙幣処理装置１０においては、上述したように、取込部３０により筐体１２の内部に紙幣を取り込み、取り込まれた紙幣を第１搬送部２０および第２搬送部２２により収納部４０に搬送して当該収納部４０に収納させる入金処理、および収納部４０に収納されている紙幣を当該収納部４０から繰り出して第２搬送部２２により払出部３２に搬送する出金処理を行う制御部６０がそれぞれ設けられている。このような紙幣処理装置１０によれば、第１搬送部２０および第２搬送部２２を用いて紙幣の入金処理および出金処理の両方を効率的に行うことができるようになる。
【００５５】
また、本実施の形態の紙幣処理装置１０においては、上述したように、第２搬送部２２には、収納部４０から繰り出されて第２搬送部２２により搬送される紙幣を識別する第１識別部５０が設けられており、第１識別部５０は、第２搬送部２２における搬送方向転換部分２２ａよりも収納部４０側に配置されている。また、第２搬送部２２における搬送方向転換部分２２ａよりも払出部３２側には、第１識別部５０により正常な紙幣ではないと識別された紙幣や第１識別部５０により識別することができなかった紙幣が第２搬送部２２により搬送されて収納される出金リジェクト部３４が接続されている。これらの技術的事項によれば、第１識別部５０が各収納部４０に近い位置に配置されるようになるため、紙幣の出金処理が行われる際に各収納部４０から繰り出された紙幣を迅速に第１識別部５０によって識別することができ、よって各収納部４０から繰り出された紙幣を払出部３２および出金リジェクト部３４のうち何れに送るかを迅速に判断できるようになるため、各収納部４０から払出部３２や出金リジェクト部３４までの紙幣の搬送路の距離を短くできる。
【００５６】
また、本実施の形態の紙幣処理装置１０においては、上述したように、第１搬送部２０には、取込部３０により筐体１２の内部に取り込まれた紙幣を識別する第２識別部５２が設けられている。また、第２搬送部２２には、取込部３０により筐体１２の内部に取り込まれ、第１搬送部２０から第２搬送部２２に受け渡された紙幣を識別する第３識別部５４が設けられており、第２識別部５２および第３識別部５４の各々の識別結果に基づいて紙幣の搬送先が決定される。この場合には、紙幣の入金処理が行われる際に２つの識別部（第２識別部５２および第３識別部５４）により紙幣が識別されるため、より精度良く紙幣を識別できる。また、第２識別部５２により紙幣が識別された場合に正常な紙幣ではないと判断された場合は、第１搬送部２０から第２搬送部２２に紙幣が受け渡された後、第３識別部５４により紙幣を識別しなくてもこの紙幣を払出部３２等に送ることができるようになる。また、第３識別部５４による紙幣の識別精度は、第２識別部５２による紙幣の識別精度よりも高くなっている。より詳細には、第２識別部５２および第３識別部５４は、紙幣に光を透過させることにより当該紙幣の識別を行う光学センサ５２ａ、５４ａを有しており、第３識別部５４の光学センサ５４ａの数は第２識別部５２の光学センサ５２ａの数よりも多くなっている。この場合には、取込部３０により筐体１２の内部に取り込まれた紙幣はまず第２識別部５２により粗い精度の識別（例えば、搬送状態のみの識別）が行われ、搬送状態が正常ではない紙幣（具体的には、傾斜して搬送される紙幣）を迅速に払出部３２に送ることができる。また、第１搬送部２０から第２搬送部２２に受け渡された紙幣について第３識別部５４により精度の高い識別を行うことができる。
【００５７】
また、本実施の形態の紙幣処理装置１０においては、上述したように、第２搬送部２２における搬送方向転換部分２２ａよりも払出部３２側には、紙幣を収納するとともに収納されている紙幣を繰り出し可能な紙幣収納カセット（紙葉類収納器）が着脱自在に装着される装着部３６が接続されており、装着部３６に紙幣収納カセットが装着されているときに、第２搬送部２２から紙幣収納カセットに紙幣を送って当該紙幣収納カセットに収納させるとともに紙幣収納カセットから紙幣を繰り出して第２搬送部２２に送ることができるようになっている。このような技術的事項によれば、装着部３６に装着された紙幣収納カセットを用いて紙幣の入金処理および出金処理を行うことができる。とりわけ、このような場合は、操作者は直接紙幣に触れることなくまとめて入金処理や出金処理を行うことができるため、セキュリティーを維持しつつ、効率的に作業を行うことができる。
【００５８】
また、本実施の形態の紙幣処理装置１０においては、上述したように、第２搬送部２２における搬送方向転換部分２２ａよりも収納部４０側の搬送路の長さは、処理されるべき紙幣のうち長辺の長さが最も大きい紙幣の２枚分の長辺の長さの和よりも大きくなっている。このような技術的事項によれば、取込部３０により筐体１２の内部に取り込まれた２枚の紙幣が連鎖状態で第２搬送部２２により搬送されても、第２搬送部２２においてこの連鎖状態の２枚の紙幣が占める領域を確保できるため、紙幣処理装置１０を停止させることなく引き続き紙幣の入金処理を行うことができる。
【００５９】
なお、本実施の形態による紙幣処理装置や紙幣処理システムは、上述したような態様に限定されることはなく、様々な変更を加えることができる。
【００６０】
例えば、図２等に示す紙幣処理装置１０において、第２搬送部２２の搬送方向転換部分２２ａは紙幣の搬送方向を略１８０°変えるものに限定されることはない。搬送方向転換部分２２ａとして、紙幣の搬送方向を変えることができるものであれば、他の構成のものが用いられてもよい。
【００６１】
また、第１搬送部２０が第２搬送部２２の途中部分に直接接続されるのではなく、第１搬送部２０と第２搬送部２２との間に他の搬送部が１または複数設けられていてもよい。この場合には、取込部３０により筐体１２の内部に取り込まれ、第１搬送部２０により搬送される紙幣は、まず第１搬送部２０から他の搬送部に受け渡され、この他の搬送部から第２搬送部２２に更に受け渡されるようになる。また、第１搬送部２０の端部は、必ずしも第２搬送部２２の搬送方向転換部分２２ａに接続されていなくてもよい。すなわち、第１搬送部２０の端部は、搬送方向転換部分２２ａよりも収納部４０側の第２搬送部２２に接続されていてもよいし、搬送方向転換部分２２ａよりも払出部３２側の第２搬送部２２に接続されていてもよい。
【００６２】
また、第２識別部５２および第３識別部５４は、光学センサ５２ａ、５４ａを有するものに限定されることはない。第２識別部５２および第３識別部５４のうち何れか一方または両方をラインセンサとしてもよい。
【００６３】
また、本発明に係る紙葉類処理装置や紙葉類処理システムは、紙幣の入金処理や出金処理等の処理を行う紙幣処理装置１０や紙幣処理システムに限定されることはない。本発明に係る紙葉類処理装置や紙葉類処理システムとして、紙幣以外の紙葉類（例えば、小切手や商品券）の処理を行うものが用いられてもよい。
【符号の説明】
【００６４】
１０    紙幣処理装置
１２    筐体
２０    第１搬送部
２２    第２搬送部
２２ａ  搬送方向転換部分
２２ｂ  延長部分
２４    接続箇所
３０    取込部
３２    払出部
３４    出金リジェクト部
３６    装着部
４０    収納部
４２    繰出機構
５０    第１識別部
５２    第２識別部
５２ａ  光学センサ
５４    第３識別部
５４ａ  光学センサ
６０    制御部
６２    操作表示部
６４    記憶部
６６    通信インターフェース部
１００  商品情報登録装置
【図１】
2020204996.tif 000003
【図２】
2020204996.tif 000004
【図３】
2020204996.tif 000005
【図４】
2020204996.tif 000006
【図５】
2020204996.tif 000007
【図６】
2020204996.tif 000008
【図７】
2020204996.tif 000009
【図８】
2020204996.tif 000010
【図９】
2020204996.tif 000011
【図１０】
2020204996.tif 000012
【図１１】
2020204996.tif 000013
【図１２】
2020204996.tif 000014
【図１３】
2020204996.tif 000015
【図１４】
2020204996.tif 000016